(57)【要約】【課題】給水に掛かる時間を短縮化する。【解決手段】内視鏡用洗浄消毒装置２は、水を貯留する貯水タンク４２と、水供給源から洗浄槽１２に水を供給する第１給水口１６、第１給水路４０、および第１電磁弁４１と、貯水タンク４２から洗浄槽１２に水を供給する第２給水口１７、第２給水路４４、および第１ポンプ４５と、水供給源、および貯水タンク４２から洗浄槽１２に同時給水を行うように、第１電磁弁４１、および第１ポンプ４５を作動させるＣＰＵ６０とを備える。ＣＰＵ６０は、第１電磁弁４１を作動させて、第１給水路４０側を開、第３給水路４６側を閉とし、水供給源からの水道水が第１給水口１６から洗浄槽１２に供給されるようにするとともに、第１ポンプ４５を作動させて、貯水タンク４２内の水が第２給水口１７から洗浄槽１２に供給されるようにする。【選択図】図３
2007089635.tif 000002
【特許請求の範囲】
【請求項１】
洗浄槽に収容された内視鏡を洗浄・消毒する内視鏡用洗浄消毒装置において、
水を貯留する貯水タンクと、
水供給源から前記洗浄槽に水を供給する第１給水手段と、
前記貯水タンクから前記洗浄槽に水を供給する第２給水手段と、
前記水供給源、および前記貯水タンクから前記洗浄槽に同時給水を行うように、前記第１、第２給水手段を作動させる制御手段とを備えたことを特徴とする内視鏡用洗浄消毒装置。
【請求項２】
前記制御手段は、前記洗浄槽に水を貯めて前記内視鏡を完全に水に浸漬させた状態とする際に、前記同時給水を行わせることを特徴とする請求項１に記載の内視鏡用洗浄消毒装置。
【請求項３】
前記制御手段は、前記洗浄槽への給水を行っていないときに、前記水供給源から前記貯水タンクに水を供給する第３給水手段を作動させることを特徴とする請求項１または２に記載の内視鏡用洗浄消毒装置。
【請求項４】
前記制御手段は、電源がオンされたときに、前記水供給源から前記貯水タンクに水を供給する第３給水手段を作動させることを特徴とする請求項１ないし３のいずれかに記載の内視鏡用洗浄消毒装置。
【請求項５】
前記貯水タンクに貯留された水に含まれる雑菌を滅菌する滅菌手段を設けたことを特徴とする請求項１ないし４のいずれかに記載の内視鏡用洗浄消毒装置。
【請求項６】
前記制御手段は、電源がオフされたときに、前記貯水タンクに貯留された水を排水する排水手段を作動させることを特徴とする請求項１ないし５のいずれかに記載の内視鏡用洗浄消毒装置。
【請求項７】
前記洗浄槽の手前で、前記水供給源と前記洗浄槽とを繋ぐ第１給水路に、前記貯水タンクと前記洗浄槽とを繋ぐ第２給水路を繋げ、１つの給水口から前記洗浄槽に給水を行うようにしたことを特徴とする請求項１ないし６のいずれかに記載の内視鏡用洗浄消毒装置。
【請求項８】
前記貯水タンクを別ユニットで設けたことを特徴とする請求項１ないし７のいずれかに記載の内視鏡用洗浄消毒装置。
【発明の詳細な説明】
【技術分野】
【０００１】
本発明は、洗浄槽に収容された内視鏡を洗浄・消毒する内視鏡用洗浄消毒装置に関する。
【背景技術】
【０００２】
従来から、医療分野において、内視鏡を利用した医療診断が盛んに行われている。医療診断で使用された内視鏡は、看護師などによる予備洗浄後、内視鏡用洗浄消毒装置（特許文献１参照）の洗浄槽内にて、洗浄、消毒、すすぎ、乾燥などの各種処理が施され、洗浄・消毒滅菌される。
【特許文献１】特開２００１−２９９６９７号公報
【発明の開示】
【発明が解決しようとする課題】
【０００３】
内視鏡用洗浄消毒装置では、洗浄やすすぎの際に、洗浄槽に水を貯めて内視鏡を完全に水に浸漬させた状態とするために、洗浄槽内への給水を頻繁に行う必要がある。しかしながら、特許文献１に記載の装置では、水道の蛇口から洗浄槽に直接水を供給していて、給水量が一定であるため、給水に時間が掛かり、延いては内視鏡用洗浄消毒装置による処理時間が長くなるという問題があった。
【０００４】
上記のように処理時間が長くなると、被験者が複数いた場合には使用済みの内視鏡が消毒滅菌されるまで検査を待たなければならず、検査効率が悪くなる。逆に、被験者に即座に対応するためには、内視鏡を複数台用意しなければならず、コストが嵩むという問題が生じていた。
【０００５】
本発明は、上記課題を鑑みてなされたものであり、給水に掛かる時間を短縮化することができる内視鏡用洗浄消毒装置を提供することを目的とする。
【課題を解決するための手段】
【０００６】
上記目的を達成するために、本発明は、洗浄槽に収容された内視鏡を洗浄・消毒する内視鏡用洗浄消毒装置において、水を貯留する貯水タンクと、水供給源から前記洗浄槽に水を供給する第１給水手段と、前記貯水タンクから前記洗浄槽に水を供給する第２給水手段と、前記水供給源、および前記貯水タンクから前記洗浄槽に同時給水を行うように、前記第１、第２給水手段を作動させる制御手段とを備えたことを特徴とする。
【０００７】
なお、前記制御手段は、前記洗浄槽に水を貯めて前記内視鏡を完全に水に浸漬させた状態とする際に、前記同時給水を行わせることが好ましい。
【０００８】
前記制御手段は、前記洗浄槽への給水を行っていないときに、前記水供給源から前記貯水タンクに水を供給する第３給水手段を作動させることが好ましい。
【０００９】
前記制御手段は、電源がオンされたときに、前記水供給源から前記貯水タンクに水を供給する第３給水手段を作動させることが好ましい。
【００１０】
前記貯水タンクに貯留された水に含まれる雑菌を滅菌する滅菌手段を設けることが好ましい。
【００１１】
前記制御手段は、電源がオフされたときに、前記貯水タンクに貯留された水を排水する排水手段を作動させることが好ましい。
【００１２】
前記洗浄槽の手前で、前記水供給源と前記洗浄槽とを繋ぐ第１給水路に、前記貯水タンクと前記洗浄槽とを繋ぐ第２給水路を繋げ、１つの給水口から前記洗浄槽に給水を行うようにすることが好ましい。
【００１３】
前記貯水タンクを別ユニットで設けることが好ましい。
【発明の効果】
【００１４】
本発明の内視鏡用洗浄消毒装置によれば、水を貯留する貯水タンクと、水供給源から洗浄槽に水を供給する第１給水手段と、貯水タンクから洗浄槽に水を供給する第２給水手段と、水供給源、および貯水タンクから洗浄槽に同時給水を行うように、第１、第２給水手段を作動させる制御手段とを備えたので、給水に掛かる時間を短縮化することができる。したがって、検査効率を上げることができ、内視鏡を複数台用意する必要がなくなるので、コストダウンを図ることができる。
【発明を実施するための最良の形態】
【００１５】
図１において、内視鏡用洗浄消毒装置２は、箱状の装置本体１０と、装置本体１０にヒンジで開閉自在に取り付けられた蓋１１とから構成される。この内視鏡用洗浄消毒装置２は、装置本体１０の上面に設けられた洗浄槽１２に使用済みの内視鏡３０（図２参照）を収容し、洗浄、消毒、すすぎ、乾燥などの各種処理を施して、内視鏡３０を洗浄・消毒滅菌するものである。
【００１６】
装置本体１０の上面手前には、操作パネル１３、および表示パネル１４が配されている。操作パネル１３は、上記各種処理の内容に関する設定や洗浄開始／停止などを指示するための多数のボタンからなる。表示パネル１４は、各種設定画面、処理の残り時間、トラブル発生時の警告メッセージなどを表示する。
【００１７】
蓋１１は、洗浄槽１２に使用済みの内視鏡３０を収容する際や、消毒滅菌後の内視鏡３０を取り出す際に開閉操作される。消毒滅菌を行っている際には、蓋１１により洗浄槽１２の開口部が覆われ、外部に洗浄水や消毒液が飛散しないようになっている。また、蓋１１の上面は、透明なのぞき窓となっており、洗浄や消毒滅菌の様子を視認することが可能となっている。
【００１８】
洗浄槽１２内には、噴射装置１５、洗浄水を供給する第１、第２給水口１６、１７、消毒液を供給する消毒液供給口１８、および洗浄水、消毒液を排出する排液口１９などが設けられている。
【００１９】
噴射装置１５は、洗浄槽１２の略中央に配されており、円筒状の回転体２０と、回転体２０の周面に複数設けられたノズル２１とからなる。内視鏡３０の洗浄時には、回転体２０が回転されるとともに、ノズル２１から洗浄水が噴射される。
【００２０】
図２に示すように、使用済みの内視鏡３０は、手元操作部３１が洗浄槽１２の側面に設けられたカプラ３２の近傍に載置され、回転体２０の周辺に巻き回された状態で洗浄槽１２内に収容される。カプラ３２は、手元操作部３１の吸引ボタンの装着口３３、送気・送水ボタンの装着口３４、および鉗子口３５にチューブ３６を介して接続されている。このカプラ３２からチューブ３６を経由して、洗浄水や消毒液が内視鏡３０内部の送気・送水チューブ、吸引チューブ、および鉗子挿通用チューブに供給され、これにより内視鏡３０の内部管路の洗浄・消毒滅菌が行われる。
【００２１】
図３において、装置本体１０の上部には、水道の蛇口などの水供給源とホースなどで接続され、第１給水口１６に繋がる第１給水路４０が配されている。第１給水路４０は、その途中に配された第１電磁弁４１によって開閉される。
【００２２】
第１電磁弁４１が開かれると、第１給水路４０に水供給源からの水（水道水）が流れ、この水道水が第１給水口１６から洗浄水として洗浄槽１２に供給される。
【００２３】
装置本体１０の下部には、貯水タンク４２と、消毒液タンク４３とが配設されている。貯水タンク４２には、第２給水口１７に繋がる第２給水路４４が接続されている。第２給水路４４の途中には、貯水タンク４２内の水を洗浄槽１２に向けて吸い上げる第１ポンプ４５が配されている。
【００２４】
第１ポンプ４５が作動されると、第２給水路４４に第１ポンプ４５によって吸い上げられた貯水タンク４１内の水が流れ、この水が第２給水口１７から洗浄水として洗浄槽１２に供給される。なお、図示はしていないが、第２給水路４４には、ノズル２１やカプラ３２が繋がれており、これらの箇所にも第１ポンプ４５によって洗浄水が供給されるようになっている。
【００２５】
貯水タンク４２には、第２給水路４４の他に、第３給水路４６が接続されている。第３給水路４６は、第１給水路４０と第１電磁弁４１を介して接続され、第１電磁弁４１によって開閉される。
【００２６】
第１電磁弁４１が作動されて、第１給水路４０側が閉、第３給水路４６側が開となると、水供給源からの水道水が第３給水路４６を経由して貯水タンク４２に流れ込む。これにより、貯水タンク４２内に水が貯留される。
【００２７】
貯水タンク４２内には、紫外線殺菌灯４７が設けられている。紫外線殺菌灯４７は、貯水タンク４２の内壁に取り付けられた水密な透明ケース４８内に収容されている。この紫外線殺菌灯４７は、貯水タンク４２内の水に紫外線を照射して、水に含まれる雑菌を滅菌する。
【００２８】
消毒液タンク４３には、内視鏡３０の消毒に使用する薬液（例えば、グルタラール、過酢酸、酸性水、二酸化塩素、過酸化水素など）が貯留され、消毒液供給口１８に繋がる消毒液供給路４９と、排液口１９に繋がる消毒液回収路５０とが接続されている。消毒液供給路４９の途中には、消毒液タンク４３内の消毒液を洗浄槽１２に向けて吸い上げる第２ポンプ５１が配されている。
【００２９】
第２ポンプ５１が作動されると、消毒液供給路４９に第２ポンプ５１によって吸い上げられた消毒液タンク４３内の消毒液が流れ、この消毒液が消毒液供給口１８から洗浄槽１２に供給される。なお、図示はしていないが、消毒液供給路４９には、第２給水路４４と同様に、ノズル２１やカプラ３２が繋がれており、これらの箇所にも第２ポンプ５１によって消毒液が供給されるようになっている。
【００３０】
消毒液回収路５０は、第２電磁弁５２を介して、排液口１９と外部排液口５３とを繋ぐ排液路５４に接続されている。消毒液回収路５０、および排液路５４は、第２電磁弁５２によって開閉される。
【００３１】
第２電磁弁５２が作動されて、消毒液回収路５０側が開、排液路５４側が閉となると、排液口１９から排液された消毒液が、消毒液回収路５０を経由して消毒液タンク４３に回収される。
【００３２】
排液路５４の第２電磁弁５２の下流側には、第３電磁弁５５が配されている。排液路５４は、この第３電磁弁５５によっても開閉され、循環系（図示せず）側と外部排液口５３側とに流路が切り替えられる。
【００３３】
第２電磁弁５２の消毒液回収路５０側が閉、排液路５４側が開の状態で、第３電磁弁５５が作動されて、排液路５４側が開となり、循環系側が閉となると、排液口１９から排液された洗浄水や効力が失活した消毒液が、外部排液口５３から外部に排液される。
【００３４】
洗浄槽１２の裏面には、超音波振動子５６が固着されている。超音波振動子５６は、洗浄槽１２に洗浄水を貯めて内視鏡３０が完全に洗浄水に浸漬された状態で作動され、洗浄水に超音波を放射して内視鏡３０に付着した汚れを超音波洗浄する。なお、図示はしていないが、洗浄槽１２、および貯水タンク４２には、上限水位を検知するための水位センサやオーバーフローなどの安全装置が設けられており、洗浄水や消毒液が溢れることを防止している。
【００３５】
図４において、ＣＰＵ６０は、内視鏡用洗浄消毒装置２の各部の動作を統括的に制御する。ＲＯＭ６１には、内視鏡用洗浄消毒装置２を動作させるために必要なプログラムやデータが記憶されている。ＣＰＵ６０は、このＲＯＭ６１から、プログラムやデータを作業用メモリであるＲＡＭ６２に読み出し、各種処理に応じた制御を実行する。また、ＣＰＵ６０は、操作パネル１３の操作入力に応じて各部を動作させ、表示パネル１４に画面を表示させる。
【００３６】
ＣＰＵ６０は、洗浄槽１２に水を貯めて内視鏡３０を完全に水に浸漬させた状態とする際には、水供給源、および貯水タンク４２から洗浄槽１２に同時に給水を行うように、第１電磁弁４１、および第１ポンプ４５の動作を制御する。すなわち、ＣＰＵ６０は、第１電磁弁４１を作動させて、第１給水路４０側を開、第３給水路４６側を閉とし、水供給源からの水道水が第１給水口１６から洗浄槽１２に供給されるようにするとともに、第１ポンプ４５を作動させて、貯水タンク４２内の水が第２給水口１７から洗浄槽１２に供給されるようにする。
【００３７】
また、ＣＰＵ６０は、内視鏡用洗浄消毒装置２の電源がオンされたときや、内視鏡３０を浸漬させて洗浄する前、あるいは消毒するときなど、洗浄槽１２への給水を必要としない場合に、第１電磁弁４１を作動させて、第１給水路４０側を閉、第３給水路４６側を開とし、第３給水路４６を経由して、水供給源から貯水タンク４２に水が供給されるようにする。
【００３８】
さらに、ＣＰＵ６０は、内視鏡用洗浄消毒装置２の電源がオフされたときに、第１ポンプ４５を作動させて、貯水タンク４２内の水を全て洗浄槽１２に吸い上げさせるとともに、第２、第３電磁弁５２、５５を作動させて、流路を排液路５４側とし、排液口１９から外部排液口５３に貯水タンク４２内の水が排水されるようにする。
【００３９】
次に、上記構成を有する内視鏡用洗浄消毒装置２による内視鏡３０の洗浄・消毒滅菌の処理手順を、図５のフローチャートを参照して説明する。内視鏡３０による検査の終了後、作業者は、まず、内視鏡用洗浄消毒装置２の電源をオンし、使用済みの内視鏡３０をシンクなどで軽く水洗い（予備洗浄）して、内視鏡３０に付着している汚物などを洗い流す。このとき、内視鏡用洗浄消毒装置２では、ＣＰＵ６０により第１電磁弁４１が作動されて、第１給水路４０側が閉、第３給水路４６側が開となり、第３給水路４６を経由して、貯水タンク４２に水が貯留される。
【００４０】
予備洗浄後、作業者は、手元操作部３１がカプラ３２の近傍に位置するように、内視鏡３０を回転体２０の周辺に巻き回して洗浄槽１２内に収容し、吸引ボタンの装着口３３、送気・送水ボタンの装着口３４、および鉗子口３５にチューブ３６を接続した後、蓋１１を閉めて操作パネル１３を操作し、洗浄・消毒滅菌工程を開始させる。
【００４１】
洗浄・消毒滅菌工程の開始が指示されると、内視鏡用洗浄消毒装置２では、ＣＰＵ６０の制御の下に、噴射装置１５および第１ポンプ４５が作動され、回転体２０を回転させながらノズル２１から水を噴射して、内視鏡３０の外表面を洗浄する前洗浄が行われる。また、カプラ３２、およびチューブ３６を介して、内視鏡３０の内部管路に水が導入され、内部管路が洗浄される。この前洗浄で使用された水は、排液口１９を介して外部排液口５３に排水される。なお、このときも電源オン時と同様に、貯水タンク４２に水が貯留される。
【００４２】
前洗浄後、ＣＰＵ６０により第１電磁弁４１が作動されて、第１給水路４０側が開、第３給水路４６側が閉となり、水供給源からの水道水が第１給水口１６から洗浄槽１２に供給される。また、これと同時に、第１ポンプ４５が作動されて、貯水タンク４２内の水が第２給水口１７から洗浄槽１２に供給される。
【００４３】
上記のように第１、第２給水口１６、１７から洗浄槽１２に同時給水が行われ、内視鏡３０が完全に洗浄水に浸漬された状態とされた後、ＣＰＵ６０の制御の下に、超音波振動子５６が作動され、洗浄水に超音波を放射して内視鏡３０に付着した汚れを落とす超音波洗浄が行われる。超音波洗浄で使用された水は、排液口１９を介して外部排液口５３に排水される。なお、超音波洗浄を実施しているときも、電源オン時、前洗浄時と同様に、貯水タンク４２に水が貯留される。
【００４４】
超音波洗浄後、前洗浄時と同様に、内部管路が洗浄される。そして、超音波洗浄前と同様に、第１、第２給水口１６、１７から洗浄槽１２に同時給水が行われ、内視鏡３０の外表面および洗浄槽１２の汚れを洗い流すすすぎが行われる。すすぎに使用された水は、排液口１９を介して外部排液口５３に排水される。
【００４５】
すすぎ後、ＣＰＵ６０により第２ポンプ５１が作動され、消毒液供給口１８から洗浄槽１２に消毒液が供給され、内視鏡３０が消毒液に完全に浸漬された状態とされる。また、カプラ３２、およびチューブ３６を介して、内視鏡３０の内部管路に消毒液が導入され、内部管路が消毒される。
【００４６】
内視鏡３０を消毒液に所定時間浸漬させた後、ＣＰＵ６０により第２電磁弁５２が作動されて、排液路５４側が閉、消毒液回収路５０側が開となり、排液口１９から消毒液回収路５０を経由して、消毒液タンク４３に消毒液が回収される。なお、消毒を実施しているときも、電源オン時、前洗浄時、および超音波洗浄時と同様に、貯水タンク４２に水が貯留される。
【００４７】
消毒後、超音波洗浄後のすすぎと同様のすすぎが２回行われ、ノズル２１やカプラ３２から図示しない機構でエアー、またはアルコールが供給される乾燥工程を経て、内視鏡３０の洗浄・消毒滅菌工程が終了する。
【００４８】
以上詳細に説明したように、内視鏡用洗浄消毒装置２は、水供給源、および貯水タンク４２から洗浄槽１２に同時給水を行うようにしたので、短時間で内視鏡３０が完全に洗浄水に浸漬された状態とすることができ、洗浄やすすぎの工程を飛躍的に短縮化することができる。
【００４９】
また、洗浄槽１２への給水を必要としない場合に、貯水タンク４２に給水するようにしたので、同時給水が必要なときに貯水タンク４２に水が貯留されていないといった不具合の発生を防止することができる。
【００５０】
さらに、貯水タンク４２内に水に含まれる雑菌を滅菌する紫外線殺菌灯４７を配し、また、電源がオフされたときに、貯水タンク４２に貯留された水を排水するようにしたので、貯水タンク４２内の水を常に雑菌のない清潔な状態に保つことができる。
【００５１】
上記実施形態では、第１給水路４０と第２給水路４４とを別々に設けているが、図６に示すように、第１給水路４０と第２給水路４４とを第１電磁弁４１の下流側で繋げて、１本の給水路７０とし、１つの給水口７１を介して、水供給源、および貯水タンク４２から水を洗浄槽１２に供給するようにしてもよい。このようにすると、給水口を２つ設ける手間が省ける。なお、符号７２は、第２給水路４４の水が貯水タンク４２に戻らないようにする逆止弁である。
【００５２】
また、図７に示すように、貯水タンク４２を内視鏡用洗浄消毒装置２とは別ユニットで設けてもよい。この場合、第１ポンプ４５も別のユニットとすることが好ましい。このように貯水タンク４２や第１ポンプ４５を内視鏡用洗浄消毒装置２とは別にユニット化すれば、内視鏡用洗浄消毒装置２自体が大型化することがない。また、既存の内視鏡用洗浄消毒装置に上記ユニットを取り付けるだけで、上記実施形態と同様の効果を奏する装置に改良することができる。
【００５３】
上記実施形態では、前洗浄用の装置として噴射装置１５を設けているが、この代わりに、若しくはこれに加えて、洗浄槽１２の四囲にスプレーノズルを設けてもよい。また、洗浄槽１２に酵素洗剤を供給する機構やミクロバルブを発生させる機構を設けてもよく、装置の仕様に応じて適宜追加変更することができる。
【００５４】
上記実施形態では、貯水タンク４２内の水を一旦洗浄槽１２に吸い上げて、排液口１９、排液路５４を介して外部排液口５３から排水しているが、貯水タンク４２に専用の排水路を接続し、この排水路を介して直接外部に排水するようにしてもよい。
【００５５】
上記実施形態では、紫外線殺菌灯４７を用いて貯水タンク４２内の水に含まれる雑菌を滅菌しているが、例えば第１給水路４０や第３給水路４６に、滅菌用のフィルタを設けてもよい。
【図面の簡単な説明】
【００５６】
【図１】内視鏡用洗浄消毒装置の概略構成を示す斜視図である。
【図２】洗浄槽に内視鏡を収容した様子を示す平面図である。
【図３】装置本体内部の構成を示す平面図である。
【図４】内視鏡用洗浄消毒装置の電気的構成を示すブロック図である。
【図５】洗浄・消毒滅菌工程の処理手順を示すフローチャートである。
【図６】第１給水路と第２給水路とを繋げた例を示す部分平面図である。
【図７】貯水タンクを別ユニットで設けた例を示す部分平面図である。
【符号の説明】
【００５７】
２  内視鏡用洗浄消毒装置
１０  装置本体
１２  洗浄槽
１６  第１給水口
１７  第２給水口
１９  排液口
３０  内視鏡
４０  第１給水路
４１  第１電磁弁
４２  貯水タンク
４４  第２給水路
４５  第１ポンプ
４６  第３給水路
４７  紫外線殺菌灯
５２  第２電磁弁
５３  外部排液口
５４  排液路
５５  第３電磁弁
６０  ＣＰＵ
７０  給水路
７１  給水口
【図１】
2007089635.tif 000003
【図２】
2007089635.tif 000004
【図３】
2007089635.tif 000005
【図４】
2007089635.tif 000006
【図５】
2007089635.tif 000007
【図６】
2007089635.tif 000008
【図７】
2007089635.tif 000009